(57)【要約】【課題】  複数の被搬送物を上段の搬送路から下段の搬送路へ効率よく搬送することができる降下型の搬送受け渡し装置を提供する。【解決手段】  上段の搬送路（８）から供給された被搬送物（ｗ）を、転送台（４）を用いて降下させ、下段の搬送路（９）へ供給する降下型の搬送受け渡し装置であって、装置全体を支持する装置本体（１ａ、１ｂ、１ｃ等）と、この装置本体の上部及び下部に設置された牽引材支持部（２ａ）と、これら上下の牽引材支持部の間に巻き回された牽引材（３）と、当該牽引材に沿って支持された複数の転送台と、上記装置本体に設けられ、前記上段の搬送路に対応する位置において前記転送台を係止するとともに、前記被搬送物が前記転送台に供給された際に、被搬送物の自重により上記係止を解いて、前記転送台を降下可能にする位置保持機構とが設けられていることを特徴とする降下型の搬送受け渡し装置とした。【選択図】  図１
2006206263.tif 000002
【特許請求の範囲】
【請求項１】
上段の搬送路から供給された被搬送物を、転送台を用いて降下させ、下段の搬送路へ供給する降下型の搬送受け渡し装置であって、
装置全体を支持する装置本体と、この装置本体の上部及び下部に設置された牽引材支持部と、これら上下の牽引材支持部の間に巻き回された牽引材と、当該牽引材に沿って支持された複数の転送台と、上記装置本体に設けられ、前記上段の搬送路に対応する位置において前記転送台を係止するとともに、前記被搬送物が前記転送台に供給された際に、被搬送物の自重により上記係止を解いて、前記転送台を降下可能にする位置保持機構とが設けられていることを特徴とする降下型の搬送受け渡し装置。
【請求項２】
前記位置保持機構は、前記上段の搬送路に対応する位置に、前記装置本体に回転自在に設けられるとともに相互に連結された２以上の歯車と、
前記転送台に設けられ、前記牽引材の送り動作に伴って、当該歯車における上部の歯に係止されて上記上段の搬送路に対応する位置に前記転送台を係止させる係止部と、
他の前記歯車における下部の歯に、前記被搬送物が前記転送台に供給された際に、被搬送物の自重により前記上段の搬送路側に傾斜する前記転送台に押圧されて、当該下部の歯から脱離される連動部材とが設けられていることを特徴とする請求項１に記載の降下型の搬送受け渡し装置。
【請求項３】
前記転送台は、被搬送物を載置可能な面積を有する載置部及びこの載置部の一端側に直角に形成された支持部を有するＬ字状の部材からなり、
当該載置部及び支持部の交差部に、前記転送台を前記牽引材に回動自在に取り付ける突出部が設けられ、かつ、
当該突出部より前記支持台の他端側に、この支持部より前記上段の搬送路の搬送方向前方側に上下方向に設けられた当接部材に当接させる当接部が設けられており、
前記転送台は、当該当接部を当接部材に当接させることにより、前記載置部を所望の角度に維持して、前記上段の搬送路から供給された被搬送物を下方へと搬送するとともに、前記下段の搬送路に臨む位置において、前記当接部が当接部材から脱離することにより、前記突出部を軸として前記下段の搬送路側に傾斜して、前記被搬送物を供給することを特徴とする請求項１又は２に記載の降下型の搬送受け渡し装置。
【発明の詳細な説明】
【技術分野】
【０００１】
本発明は、被搬送物を下方に搬送するための降下型の搬送受け渡し装置に関するものである。
【背景技術】
【０００２】
従前より、各種の物品の製造工程において、ベルトコンベヤ等を使用して、物品を搬送するラインが設けられている。この搬送ラインが上下２段に分離されている場合には、この間に物品を垂直方向に搬送する装置が必要になる。
【０００３】
このため、例えば特許文献１に示すような垂直方向に搬送可能な垂直搬送装置が設けられている。
しかしながら、この垂直搬送装置は、被搬送物を水平方向に搬入及び搬出するためにベルトコンベヤを用いていることから、このベルトコンベヤを作動させるために動力設備を必要とし、構造が複雑であるという問題があった。また、この水平方向の搬入及び搬出するためのベルトコンベアに連続して、垂直方向に搬送するための垂直コンベヤ、垂直搬送ベルト等が設けられており、装置が大型化するという問題があった。
【０００４】
そこで、本出願人は、先に図６に示す降下型の搬送受け渡し装置について提案している。
この降下型の搬送受け渡し装置には、上段の搬送路８から供給された被搬送物ｗを載置する転送台４と、転送台４を垂直に案内するためのガイド手段３９と、転送台４上に載置された被搬送物ｗを下段の搬送路９へ供給するための傾斜駆動構造とが設けられている。
【０００５】
この降下型の搬送受け渡し装置によれば、転送台４の載置部４１上に載置された被搬送物ｗを、転送台４を下段の搬送路９に対応する位置に降下させると同時に、載置部４１に設けられたスライドレバー４９を延出させて係止部材５１上に支持することにより（傾斜駆動構造）、載置部４１を傾斜させて、下段の搬送路９へ供給する。その後、転送台４の支持部４２を下方から支持しているエアーシリンダ（図示を略す）により、空になった転送台４を上段の搬送路８に対応する位置まで上昇させる。これにより次の被搬送物ｗを搬送する。
【０００６】
このように本出願人が先に提案した降下型の搬送受け渡し装置は、垂直方向に搬送するための転送台が、傾斜駆動構造を備えることにより水平方向への供給を兼ね備えているため、水平方向の搬入及び搬出のためのベルトコンベアが不要となり、装置が小型である。また、ベルトコンベアを作動させるための動力設備が不要となり、構造が簡易である。
【０００７】
しかしながら、この降下型の搬送受け渡し装置においては、上述のように一度に一つの被搬送物しか搬送できず、また一度下段の搬送路に供給した後に空になった転送台を上昇させなければ次の被搬送物を搬送できず、搬送効率が低下する。
【０００８】
【特許文献１】特開２００１−１８７６３２号公報
【発明の開示】
【発明が解決しようとする課題】
【０００９】
そこで本発明は、上記事情に鑑み、構造の簡易化、小型化を実現するのみならず、複数の被搬送物を上段の搬送路から下段の搬送路へ効率よく搬送することができる降下型の搬送受け渡し装置の提供を目的とする。
【課題を解決するための手段】
【００１０】
上記請求項１に記載の発明は、上段の搬送路から供給された被搬送物を、転送台を用いて降下させ、下段の搬送路へ供給する降下型の搬送受け渡し装置であって、装置全体を支持する装置本体と、この装置本体の上部及び下部に設置された牽引材支持部と、これら上下の牽引材支持部の間に巻き回された牽引材と、当該牽引材に沿って支持された複数の転送台と、上記装置本体に設けられ、前記上段の搬送路に対応する位置において前記転送台を係止するとともに、前記被搬送物が前記転送台に供給された際に、被搬送物の自重により上記係止を解いて、前記転送台を降下可能にする位置保持機構とが設けられていることを特徴とする降下型の搬送受け渡し装置である。
【００１１】
請求項２に記載の発明は、請求項１に記載の降下型の搬送受け渡し装置において、前記位置保持機構は、前記上段の搬送路に対応する位置に、前記装置本体に回転自在に設けられるとともに相互に連結された２以上の歯車と、前記転送台に設けられ、前記牽引材の送り動作に伴って、当該歯車における上部の歯に係止されて上記上段の搬送路に対応する位置に前記転送台を係止させる係止部と、他の前記歯車における下部の歯に、前記被搬送物が前記転送台に供給された際に、被搬送物の自重により前記上段の搬送路側に傾斜する前記転送台に押圧されて、当該下部の歯から脱離される連動部材とが設けられていることを特徴とする。
【００１２】
上記請求項３に記載の発明は、請求項１又は２に記載の降下型の搬送受け渡し装置において、前記転送台は、被搬送物を載置可能な面積を有する載置部及びこの載置部の一端側に直角に形成された支持部を有するＬ字状の部材からなり、当該載置部及び支持部の交差部に、前記転送台を前記牽引材に回動自在に取り付ける突出部が設けられ、かつ、当該突出部より前記支持台の他端側に、この支持部より前記上段の搬送路の搬送方向前方側に上下方向に設けられた当接部材に当接させる当接部が設けられており、前記転送台は、当該当接部を当接部材に当接させることにより、前記載置部を所望の角度に維持して、前記上段の搬送路から供給された被搬送物を下方へと搬送するとともに、前記下段の搬送路に臨む位置において、前記当接部が当接部材から脱離することにより、前記突出部を軸として前記下段の搬送路側に傾斜して、前記被搬送物を供給することを特徴とする。
【発明の効果】
【００１３】
上述の請求項１に記載の発明によれば、上段の搬送路から供給された被搬送物を、装置本体の上部及び下部に設置された牽引材支持部に巻回された牽引材に支持された複数の転送台を周回させることにより、下段の搬送路へ供給することができる。
このように複数の転送台を周回させることによって、被搬送物を連続して搬送することができるため搬送効率を飛躍的に向上させることができる。
【００１４】
また、位置保持機構を設けることにより、前記被搬送物が供給された前記転送台が、被搬送物の自重により降下可能となる。
このため、被搬送物の供給の有無を判別するための監視装置を設ける必要がなく、構造を簡易化することができる。
【００１５】
特に、請求項２に記載の発明のように上段の搬送路に対応する位置に、装置本体に回転自在に設けられるとともに相互に連結された２以上の歯車と、転送台に設けられ、牽引材の送り動作に伴って、歯車における上部の歯に係止されて上段の搬送路に対応する位置に転送台を係止させる係止部と、他の歯車における下部の歯に、被搬送物が転送台に供給された際に、被搬送物の自重により上段の搬送路側に傾斜する転送台に押圧されて、下部の歯から脱離される連動部材とが設けられている。これによって、被搬送物が供給される前までは、装置本体に設けられた歯車の上部に係止部を係止させることにより、上段の搬送路に対応する位置において、転送台を係止することができる。また、被搬送物が転送台に供給された際に、被搬送物の自重により転送台が搬送路側に傾斜して、転送台が連動部材を歯車における下部の歯から脱離させることにより、歯車が回転可能となり、転送台が降下可能となる。このため、上述の位置保持機構として好適である。
【００１６】
また、転送台は、連動して回転する２以上の歯車に遊びが生じ、歯車が回転しても、即時に降下可能とならず、連動部材がストッパーの役割を果たすため被搬送物を安定して搬送することができる。
【００１７】
上述の請求項３に記載の発明によれば、載置部及びこの載置部の一端側に直角に形成された支持部からなる転送台は、載置部及び支持部の交差部に、転送台を牽引材に回動自在に取り付ける突出部が設けられ、かつ、当該突出部より支持台の他端側に、この支持部より前記上段の搬送路の搬送方向前方側に上下方向に設けられた当接部材に当接させる当接部が設けられており、当接部を当接部材に当接させることにより、載置部を所望の角度に維持して、上段の搬送路から供給された被搬送物を下方へと搬送するとともに、下段の搬送路に臨む位置において、当接部が当接部材から脱離することにより、突出部を軸として下段の搬送路側に傾斜して、被搬送物を供給することができる。
このため水平方向へ供給するための装置を別途設ける必要がなく、降下型の搬送受け渡し装置を小型化することができる。さらに、水平方向に供給するための動力設備が不要であり、降下型の搬送受け渡し装置の構造を簡易化することができる。
【発明を実施するための最良の形態】
【００１８】
以下、本発明に係る降下型の搬送受け渡し装置の第１実施形態を、図１ないし図５を用いて説明する。
【００１９】
本実施形態における降下型の搬送受け渡し装置には、図１及び図２に示すように、装置全体を支持する４本の支柱１ｂと、支柱１ｂの上部及び下部に設置されたスプロケット（牽引材支持部）２ｂと、このスプロケット２ｂ間に巻き回されたチェーン（牽引材）３と、このチェーン３に沿って等間隔に支持された転送台４と、上段のベルトコンベア（搬送路）８から被搬送物ｗが転送台４に供給された際、被搬送物ｗの自重により転送台４を降下可能にする位置保持機構が設けられている。
【００２０】
床上には、ベルトコンベア８の搬送方向前方の外側に位置するように、２本の基台１ａが対向配置されており、これら基台１ａの前後端部には、それぞれ前記支柱１ｂが立設されている。ここで、各基台１ａの両端部に立設された支柱１ｂ同士は、図示されない連結部材によって連結一体化されるとともに、対向する基台１ａに立設された支柱１ｂ同士は、各々上下方向の４箇所に配設された連結部材１ｃによって一体化されている。この結果、２本の基台１ａと、基台１ａに立設された支柱１ｂと、各支柱１ｂ同士を一体化する連結部材１ｃ等とから角柱骨組状の装置本体が構成されている。
【００２１】
この支柱１ｂの上部及び下部には、ベアリング２ａを介して回転軸２が回転可能に接続されている。この回転軸２には、その両端側に各々スプロケット２ｂが一体的に固定されており、スプロケット２ｂと一体となって回転するようになっている。そして、前後上下に対向する４つのスプロケット２ｂ間には、それぞれ内部に転送台４を支持するための所望の穴を備えているチェーン３が各々巻き回されている。
【００２２】
この転送台４は、被搬送物ｗを載置可能な面積を有する平板状の載置部４１と、この載置部４１の一端側に直角に形成された平板状の支持部４２とを有するＬ字状の部材からなり、これら載置部４１及び支持部４２の接合部には、両者を略直角に維持するための補強用ブラケット４３が接合されている。この載置部４１及び支持部４２の左右外側交差部には、側方に突出するピン４４ａ（突出部）が各々設けられ、このピン４４ａが２本のチェーン３に等間隔に挿通されている。これにより、複数の転送台４がチェーン３に回動自在に装着されている。
【００２３】
そして、この転送台４を所望の角度に維持して、安定した状態で降下させるために、上記ピン４４ａの外周にローラー（係止部）４４が、支持部４２の下部に左右１対のローラー（当接部）４５が各々設けられている。
【００２４】
他方、対向配置された基台１ａ間に直角に架け渡されたガイド基台５ａ上に垂設したガイド支柱５ｂが設けられている。このガイド支柱５ｂは、チェーン３に沿って上段のベルトコンベア８の搬送方向後方側に設けられている。
また、支持部４２より上段のベルトコンベア８の搬送方向前方側に上下方向に当接部材６ａ、６ｂが設けられており、上部ガイド板６ａ（当接部材）及び中部ガイド板（当接部材）６ｂに分けて設けられている。
【００２５】
これにより、転送台４は、ローラー４５を当接部材６ａ、６ｂに当接させることにより、所望の角度を維持しながら、ローラー４４をガイド支柱５ｂに当接させることにより、チェーン３の振動による影響を受けることなく、安定した状態で降下する。
【００２６】
上記当接部材としての上部ガイド板６ａは、後方上に設けられた回転軸２の近傍位置において、支柱１ｂから下方へと接続されており、下部が上段のベルトコンベア８の搬送方向後方側に傾斜している。
この上部ガイド板６ａの下部位置近傍において、１組の支柱１ｂに接続された位置保持機構（転送台４に設けられた構成部品を除く）が、上段のベルトコンベア８に対応する位置に設けられている。
【００２７】
この位置保持機構７は、図２及びに図３に示すように大型の歯車７１ｂ及びその左右外側に一体として設けられた小型の歯車７１ａからなる回転自在な連動歯車７１と、支持部４２に設けられ、チェーン３の送り動作に伴って大型の歯車７１ｂにおける上部の歯に係止されて、上段のベルトコンベア８に対応する位置に転送台４を係止させるローラー４４（係止部）と、小型の歯車７１ａにおける下部の歯に、被搬送物ｗが転送台４に供給された際に、被搬送物ｗの自重により上段のベルトコンベア８側に傾斜する転送台４の支持部４２に押圧されて、小型の歯車７１ａにおける下部の歯から脱離される連動部材７２とを有する。これに加えて、上記連動歯車７１を回転可能に支持する歯車軸棒７１ｃ及び連動部材を回転可能に支持する連動軸棒７２ａの両端部を固定し、かつ、上段のベルトコンベア８の対向面（図３中右側）が開口されたギヤケース７３が設けられている。
【００２８】
この連動部材７２は、小型の歯車７１ａにおける下部の歯を係止する位置に、連動軸棒７２ａを中心として回転自在に設けられている。また、下部には凸部が設けられており、この凸部及び上部にはローラー７２ｂ、７２ｃが設けられている。
【００２９】
上記ギヤケース７３の左右外側から下方に向けて、上記中部ガイド板６ｂが上記連結部材１ｃに支持されている。この中部ガイド板６ｂの下端部は、転送台４が下段のベルトコンベア（搬送路）９に臨む位置に降下した際のローラー４５の位置より上方に設けられている。
【００３０】
上述の降下型の搬送受け渡し装置における作用について、図１ないし図５を用いて、以下に説明する。
【００３１】
まず、上段のベルトコンベア８から被搬送物ｗが供給されて、転送台４が降下可能となる過程について、図３及び図４を用いて説明する。
転送台４は、上段のベルトコンベア８から被搬送物ｗが供給される前、図３又は図４（ａ）に示すように連動部材７２が小型の歯車７１ａにおける下部の歯を係止させて、一体に設けられている連動歯車７１を停止状態にしているため、大型の歯車７１ｂにおける上部の歯にローラー４４が係止されて、上段のベルトコンベア８に対応する位置で停止している。
【００３２】
次いで、図４（ｂ）に示すように転送台４は、被搬送物ｗが供給された際に、載置部４１に被搬送物ｗが載置されて、被搬送物ｗの自重によりピン４４ａ回りに回動して、上段のベルトコンベア８側に傾斜した状態になる。すると、連動部材７２は、ローラー７２ｂが、支持部４２に押圧されて前方へ移動するとともに、ローラー７２ｃが、小型の歯車７１ａにおける下部の歯の平面を滑りながら後方へ移動して、この歯から脱離される。これにより、転送台４は、連動歯車７１が回転自在となり、降下可能となる。
【００３３】
ここで、上記連動部材７２の凸部及び上部には、ローラー７２ｂ、７２ｃが設けられており、連動部材７２が支持部４２に押圧された際に、ローラー７２ｂが支持部４２に当接するため、接触面の摩擦を最小限に抑える。また、同様にローラー７２ｃが小型の歯車７１ａにおける下部の歯に当接するため、接触面の摩擦を最小限に抑える。
【００３４】
次に、図４（ｃ）に示すように降下可能となった転送台４は、連動歯車７１を歯車軸棒７１ｃを軸として回転させながら、降下する。この際、支持部４２がローラー７２ｂに当接しながら、降下する。
【００３５】
次に、ローラー７２ｂから解放された転送台４は、図４（ｄ）に示すようにチェーン３（図示を略す）に支持されて、さらに降下する。
他方、連動歯車７１は、小型の歯車７１ａ及び大型の歯車７１ｂがともに、１つの歯分だけ回転しており、連動部材７２が小型の歯車７１ａにおける１つ後段の歯を係止して、停止状態になっている。
【００３６】
このため、後段の転送台４は、上段のベルトコンベア８に対応する位置に配置されると、大型の歯車６１ｂにおける１つ後段の歯に係止されて停止状態となる。
次いで、後段の被搬送物ｗが供給された際に、転送台４は同上の方法により降下可能となる。
【００３７】
このように転送台４は、連動部材７２が設けられているため、連動歯車７１に遊びが生じて、同歯車７１が回転しても、即時に降下可能とならず、連動部材７２がストッパーの役割を果たすため、被搬送物ｗの安定した搬送を可能にする。
【００３８】
次に、降下可能となった転送台４について、図１及び図５を用いて、以下に説明する。
上述のようにして降下可能になった転送台４は、図１に示されるように搬送物ｗの自重によりピン４４ａを介してチェーン３を下方へと移動させながら、回転可能なローラー４４をガイド支柱５ｂに、回転可能なローラー４５を中部ガイド板６ｂに各々当接させつつ、降下する。このため、載置部４１を所望の角度に維持しながら安定した状態で降下する。
【００３９】
これを降下型の搬送受け渡し装置全体でみると、被搬送物ｗの自重によるこの転送台４の降下作用が動力源となって、チェーン３を周回させることにより、スプロケット２ｂとともに回転軸２が回転して、全ての転送台４が周回する。このように降下可能となった被搬送物ｗにより、動力源が得られるため、転送台４を搬送するための動力装置を設ける必要がなく、簡易な装置となる。
【００４０】
次いで、転送台４は、図５に示すように下段のベルトコンベア９に対応する位置近傍まで降下すると、ローラー４５を当接させていた中部ガイド板６ｂの下端部が設けられており、ローラー４５が中部ガイド板６ｂから解放される。そして、ローラー４４をガイド支柱５ｂに当接させるとともに、被搬送物ｗの自重によって、チェーン３に挿通されているピン４４ａを軸として下段のベルトコンベア９側に傾斜する。これにより、載置部４１上に載置されている被搬送物ｗを下段のベルトコンベア９へと供給する。
【００４１】
その後、転送台４は、チェーン３に挿通されたピン４４ａを軸として、載置部４１と支持部４２とを角度保持部材４３により略直角に保持して、後方下の回転軸２に設けられたスプロケット２ｂに当接した後に、載置部４１又は支持部４２のうちより重い方がより垂直下向き保持されて、水平に搬送される。次いで、上記回転軸２の前方に位置する回転軸２に設けられたスプロケット２ｂに当接した後に、転送台４の自重により載置部４１が下方向きの状態となり、チェーン３に挿通されたピン４４ａを軸として支持部４２がチェーン３の突出方向に水平に保持されながら、上方へと搬送される。
【００４２】
このように上方への搬送に際しては、被搬送物ｗの大きさに関係なくサイズ設計できる支持部４２がチェーン３の突出方向に水平に保持されるため、支持部４２のサイズを小さくすることにより装置が小型化される。
【００４３】
上述の降下型の搬送受け渡し装置によれば、上段のベルトコンベア８から供給された被搬送物ｗを、支柱１ｂの上部及び下部に設置されたスプロケット２ｂに巻き回されたチェーン３に支持された複数の転送台４を周回させることにより、下段のベルトコンベア９へ供給することができる。
このように転送台４を周回させることで、被搬送物ｗを連続して搬送することができるため搬送効率を飛躍的に向上させることができる。
【００４４】
また、上述の位置保持機構を設けることにより、被搬送物ｗが供給された転送台４を、被搬送物ｗの自重により降下可能にすることができる。このため、被搬送物の供給の有無を判別するための監視装置を設ける必要がなく、構造を簡易化することができる。
その上、上段のベルトコンベア８から供給された被搬送物ｗの搬送速度に合致して転送台ｗが作動するため、同期を図ることができる。
【００４５】
さらに、上述のように載置部４１及び支持部４２の交差部に、転送台４をチェーン３に回動自在に取り付けるピン４４ａが設けられ、かつ、支持部４２の下部に、この支持部４２より前方に設けられた中部ガイド板６ｂに当接させるローラー４５が設けられることにより、転送台４は、このローラー４５を中部ガイド板６ｂに当接させることにより、載置部４１を所望の角度に維持して、上段のベルトコンベア８から供給された被搬送物ｗを下方へと搬送するとともに、下段のベルトコンベア９に臨む位置において、ローラー４５を中部ガイド板６ｂから解放することにより、ピン４４ａを軸として下段のベルトコンベア９側に傾斜して、被搬送物ｗを供給することができる。
このため水平方向へ供給するための装置を別途設ける必要がなく、降下型の搬送受け渡し装置を小型化することができる。また、水平方向に供給するための動力設備が不要であり、降下型の搬送受け渡し装置の構造を簡易化することができる。
【００４６】
なお、本発明は、上述の実施形態に限定されるものではなく、例えば、装置全体を支持する装置本体は、支柱１ｂ等に限定されず位置保持機構等を実現するものであればよい。
【図面の簡単な説明】
【００４７】
【図１】本発明の一実施形態として示した降下型搬送受け渡し装置、上段のベルトコンベア及び下段のベルトコンベアの全体側面図である。
【図２】本発明の一実施形態として示した降下型搬送受け渡し装置の全体正面図である。
【図３】図１における上段のベルトコンベアに対応する位置の要部従断面図である。
【図４】本発明の一実施形態として示した位置保持機構の要部側面模式図であり、転送台４が降下可能となる機構を示した説明図である。
【図５】図１における降下型搬送受け渡し装置の下部及び下段のベルトコンベアを拡大した全体側面図である。
【図６】従来技術として示した降下型の搬送受け渡し装置、上段の搬送路及び下段の搬送路の全体側面図である。
【符号の説明】
【００４８】
ｗ・・・被搬送物
１ａ・・・基台
１ｂ・・・支柱
１ｃ・・・連結部材
２・・・回転軸
２ａ・・・ベアリング
２ｂ・・・スプロケット（牽引材支持部）
３・・・チェーン（牽引材）
４・・・転送台
４１・・・載置部
４２・・・支持部
４３・・・角度保持部材
４４・・・ローラー（係止部）
４４ａ・・・ピン（突出部）
４５・・・ローラー（当接部）
５ａ・・・ガイド基台
５ｂ・・・ガイド支柱
６ａ・・・上部ガイド板
６ｂ・・・中部ガイド板（当接部材）
７・・・位置保持機構
７１・・・連動歯車
７２・・・連動部材
７３・・・ギヤケース
８・・・上段のベルトコンベア（搬送路）
９・・・下段のベルトコンベア（搬送路）
【図１】
2006206263.tif 000003
【図２】
2006206263.tif 000004
【図３】
2006206263.tif 000005
【図４】
2006206263.tif 000006
【図５】
2006206263.tif 000007
【図６】
2006206263.tif 000008